(57)【要約】【課題】環境に与える影響が少ない燃焼処理が容易な紙等の材料を用いて、屋内で奉納・管理でき、外部から祈願文が見られずにプライバシーを保護できる祈願札を提供しようとする。【解決手段】本発明の祈願札は、折線部に対して対称な紙を該折線部に沿って二つ折りにし、この二つ折りにされた前記紙の内面に文章を記載できるようにし、又、二つ折りにされた前記紙に吊紐を通す挿通孔を設ける。【選択図】　図１
2004016286.tif 000002
【特許請求の範囲】
【請求項１】
複数のシートを重ね合わせ、
前記重ね合わされた前記シートに吊紐を通す挿通孔を設け、
前記重ね合わされた前記シートの内面に文章を記載できるようにした、
祈願札。
【請求項２】
一枚のシートを折り、
前記折られた前記シートに吊紐を通す挿通孔を設け、
前記折られた前記シートの内面に文章を記載できるようにした、
祈願札。
【請求項３】
前記シートは紙である、請求項１乃至２に記載の祈願札。
【請求項４】
折線部に対して対称な紙を該折線部に沿って二つ折りにし、
前記二つ折りにされた前記紙の内面に文章を記載できるようにし、
前記二つ折りにされた前記紙に吊紐を通す挿通孔を設けた、祈願札。
【請求項５】
合同な二枚の紙を二重に整合させ、
前記二重に整合された前記紙の内面に文章を記載できるようにし、
前記二重に整合された前記紙に吊紐を通す挿通孔を設けた、祈願札。
【発明の詳細な説明】
【０００１】
【発明の属する技術分野】
本発明は、各種祈願や報謝のために、願い事や感謝の文を書いて寺や神社に奉納する祈願札に関する。
【０００２】
【従来の技術】
願い事や感謝の意を絵馬や祈願札に書いて、社寺や神社の掲示板、木の枝等に吊り下げて祈願、報謝等行なうことは、古くからよく行なわれている。即ち神社の境内等で購入した祈願札に、成功、合格、安産、必勝、大漁、豊作、交通安全、無病息災、家内安全、良縁成就等の各種祈願文や、又、祈願成就した場合にはその感謝の意を書いて奉納するのである。
【０００３】
更に上述のような一般的な願い事ばかりでなく、もっと個人的でプライバシーに係わる願い事、お祈りを社寺等でしたい場合も少なくない。例えば家族の病気に関すること、仕事や勉強に関すること、恋愛に関すること等の悩みや希望を祈願札や絵馬に書いて、ご利益を受けたい場合等である。
【０００４】
しかし従来の祈願札は、木札の表面に自分の氏名や願い事を書いて境内に設けられた掲示板や木の枝に吊るしておくだけであったため、上記のようなプライバシーに係わる内容についてなかなか書きにくいものであった。即ち、願い事等を祈願札に書いて吊り下げておくと、簡単に他人に見られる可能性があり、本当に祈願したいことを書けない場合が多かった。
【０００５】
また、第三者に祈願の内容や自分の氏名等が知られると、噂を立てられる等のおそれもあり、危害が自己に及ぶ危険すら考えられた。そのため折角真剣に祈願しようとしても安心して本心を書く事が出来ない場合もあった。
【０００６】
また、従来は神社仏閣の境内に設置された掲示板に絵馬等を吊り下げていたが、木製絵馬等は比較的大きくかさばるため、すぐに掲示板が一杯になり、参拝者が次々に先の参拝者が吊り下げた祈願札等の上に自分の祈願札等を吊り下げていた。この場合他人の祈願札等の下に埋もれた祈願札等の吊り主はいい気分がするものではない。
【０００７】
それでは、境内の木々に吊り下げるとすると、今度は祈願札等を回収するのが非常に大変になる。風雨にさらされてゴミとして処理せざるを得ない場合も起こり得る。
【０００８】
一方、祈願札は一定期間吊り下げて祈祷が終わった後、燃焼処理をするのが通例である。しかし、上述のように従来の祈願札は木製であったため、大量の祈願札が奉納される大きな社寺や神社ではその処理は大変であった。特に近年は大気中の二酸化炭素による地球の温暖化が国際的な大問題となっており、又、木材伐採等の環境破壊も深刻である。このため、環境保護の観点からも燃焼等処理の簡素化や材料の変更が望まれる。
【０００９】
【発明が解決しようとする課題】
そこで本発明は、環境に与える影響が少ない燃焼処理が容易な紙等の材料を用いて屋内で奉納・管理でき、外部から祈願文が見られずにプライバシーを保護できる祈願札を提供する。
【００１０】
【課題を解決するための手段】
本発明に係る祈願札は、複数のシートを重ね合わせ、前記重ね合わされた前記シートに吊紐を通す挿通孔を設け、前記重ね合わされた前記シートの内面に文章を記載できるようにしている。
【００１１】
本発明に係る祈願札は、一枚のシートを折り、前記折られた前記シートに吊紐を通す挿通孔を設け、前記折られた前記シートの内面に文章を記載できるようにしていもよい。
【００１２】
前記シートは紙であることが好ましい。
【００１３】
本発明に係る祈願札は、折線部に対して対称な紙を該折線部に沿って二つ折りにし、前記二つ折りにされた前記紙の内面に文章を記載できるようにし、前記二つ折りにされた前記紙に吊紐を通す挿通孔を設けている。
【００１４】
本発明に係る祈願札は、合同な二枚の紙を二重に整合させ、前記二重に整合された前記紙の内面に文章を記載できるようにし、前記二重に整合された前記紙に吊紐を通す挿通孔を設ける。
【００１５】
本発明に係る祈願札の形状は欠半円形、欠半楕円形又は多角形のいずれかであってよい。
【００１６】
本発明に係る祈願札の形状は神社仏閣の建造物又は神社仏閣を象徴する紋章又は神像又は仏像のいずれかであってもよい。
【００１７】
本発明に係る祈願札の内面に、願い事の記載欄を設けてもよい。
【００１８】
【発明の実施の形態】
本実施形態で説明する祈願札は、筆やマジック、ボールペン等で文字が書きやすい紙を、折線部に対して対称に二つに折って重ねあわせる。そして当該二つ折りにした内部に祈願文等を書けるようにして、二つ折りの状態で端部に設けられた挿通孔に吊紐を貫通させて結び、外部から内部に書かれた文章を見えなくするものである。
【００１９】
本発明の祈願札を形成する紙類は、文字を書き易い性質の紙で、文字が裏から透けて見えないものであれば、紙の種類は問わない。又、祈願札は従来の木札と異なり、軽量で場所も取らないので、神社や仏閣の建物の中で奉納・管理することができ、雨等に対する防水対策は特には必要ない。
【００２０】
また、神社や仏閣によって伝統や特徴は異なるので、祈願札を形成する紙類の形状は各神社等の個性に合った様々な形でよく、折線部に対して対称で、折線部に沿って二つ折りにして重なるものであればよい。祈願札に折った場合の形状は、例えば図１に示す８角形のような多角形、又は、欠半円形、欠半楕円形等でもよく、絵馬の形でもよく、また、形状がその祈願札を扱う神社、仏閣、又はこれらを象徴する紋章等の記章や神像、仏像等自身であってもよい。
【００２１】
本発明の祈願札に設けられる挿通孔は、二枚折にした祈願札の上下紙面を貫通するもので、吊紐を通して祈願札を結び、これを吊るした時に外から内部に書かれた文章を見えなくする位置であれば、どの位置に設けられてもよい。ただし、吊るした時のバランス及び内部文章の見られにくさを考慮すると、祈願札の端部であって、折線部の垂直二等分線上に設けるのが好ましい。
【００２２】
図２に示すのは、８角形の祈願札を広げたときの平面図である。この部分は、２つ折りにして図１のような祈願札とした時に、外部の表面となる部分である。
【００２３】
この図２は例えば複数ヶ所を巡礼して祈願が成就する霊場で扱うような祈願札を描いている。図２の上方の８角形は祈願札の外部表面であるが、祈願札の文字以外に神社仏閣の名称や紋章等を印刷してもよい。又、祈願札の裏面には、図２の下方の８角形のように神社又は仏閣を象徴する神様又は仏様を印刷したり、当該神像、仏像、観音像等の写真を印刷したりすることもできる。
【００２４】
この他、祈願札を取り扱う神社仏閣、宗教団体等の特徴に応じて様ような印刷、加工、装飾等を施すことが可能である。例えば浮彫り、透かしを入れたり金粉を付着させてもよい。
【００２５】
図３に示すのは、図１に示す８角形の祈願札を広げたときの裏面図で、祈願札の内部である。この例では上方の８角形において、奉納の文字の下に願い事の記載欄を設けている。又、下方の８角形には全面に神社仏閣等の紋章を印刷している。
【００２６】
この祈願札の内部にも、色々な装飾等が可能であるが、図１のように二つ折りにして吊紐として組紐を通して吊り下げた時は、外から見られることがない。従って、人に知られたくない個人のプライバシーに係わる事項、文章等の記載欄を設けるのに適している。
【００２７】
又、祈願札の形状は上記のような８角形や絵馬等の多角形に制限されず、欠半円形、欠半楕円形等でもよく、神社仏閣の建造物又は神社仏閣を象徴する紋章等の記章又は神像又は仏像自身をかたどった物でもよい。上述のように内部に個人のプライバシーに係わる事項、文章等が記載でき、他人に見られることなく安心して奉納できるのであれば、外形は制限されない。
【００２８】
例えば図４のように、折り曲げると絵馬の形になるようにしてもよい。２つの挿通孔２６は、折線部２５に対して対称の位置に設けられている。従ってこの場合も折線部２５に沿って２つ折りにし、挿通孔２６に組紐を通して結んで中身を隠し、吊り下げればよい。
【００２９】
上記実施態様では、紙は折線部に対して対称で、折線部に沿って二つ折りにして重なる場合について説明したが、二つ折りにした時に上面と下面は完全には重ならなくてもよい。
【００３０】
例えば図５ａと図５ｂはそれぞれ絵馬型祈願札の平面図、及び絵馬型祈願札の展開図である。図５ｂからわかるように、この実施態様では、絵馬型祈願札を展開した時に最上段の三角形の頂点端部付近に吊紐を通す挿通孔３６を設けている。そして最下段の長方形を折線部３５に沿って折り曲げた時に最下辺３４が、中段の長方形上部に設けられたシール部３２に重なるようにする。
【００３１】
ここでシール部は、単に糊付けするだけの簡単なものでもよいし、シールを剥がせば接着できるシール式にしてもよい。又シール部３２は設けずに、上述のように折り曲げた後に、紋章等を印刷したシールを貼って封印してもよい。
【００３２】
色々な印刷や装飾を祈願札の各面に施せるのは上記実施態様と同様であるが、この態様においても、図５ｂの中段又は最下段に願い事等を記載できるようにしておけば、個人のプライバシーを保護することができる。
【００３３】
更に、図６のように折り曲げる一方の紙に挿通孔４６を設けた凸部４２を形成し、この凸部４２が他方の紙に設けた差込穴４７に嵌合するようにしてもよい。折線部４５で折り曲げ、凸部４２を差込穴４７に嵌めた後、挿通孔４６に組紐を通して吊り下げればよい。
【００３４】
このように紙を２つ折りにして本発明の祈願札を形成することができるが、折紙を折るように複数回、紙を折り曲げて、特定の形を形成するようにしてもよい。この場合、表面に秘密にしたい文章が現れないように記載欄が配置されていればよい。
【００３５】
以上のような紙を折り畳んで形成する簡素な祈願札は、製造も容易で、軽くてコンパクトにできるので、吊るしておくスペースも小さくて済み、屋内で管理することも可能である。また、木札のような重みはないものの、記載欄や装飾に使える面が計４面できるため、上記のような色々な加工を施すことができるので、高尚さや有難味を出すこともできる。
【００３６】
又、本発明の別の実施態様として合同な二枚の紙を二重に整合させて貼り合わせてもよい。そして二重に整合される当該紙の内面に文章を記載できるようにし、当該二重に整合された紙に吊紐を通す挿通孔を設けて祈願札を形成する。
【００３７】
又、上述の図４の絵馬の祈願札の例のように、２枚の紙は必ずしも合同でなくてもよい。内面に記載した文章が外から見えないように２枚の紙を貼り合わせれば、当該２枚の紙の形状は制限されない。
【００３８】
ここで２枚の紙の重合部の貼り合わせ方は、その周辺部を上記のように糊付けしたり、シール方式にしてもよい。その他２枚の紙を布や紙、ビニール等でつなぎ合わせたり、紐を通して結んでもよい。
【００３９】
また組紐の挿通孔は、上述したように祈願札を吊り下げた時にバランスが取り易い位置に設けるのが好ましいが、特に挿通孔の位置に関して他の制限はない。
【００４０】
このような態様の場合は、上述のような二枚の紙を折り合わせて組紐を挿通孔に通して閉じる場合より、２枚の紙をシールしたりつなぎ合わせたりする分コストはかかるが、秘密性は保ちやすくなる。特に強力な接着剤を使用して貼り合わせば、紐で結びあわせるだけの場合と比べてプライベート保持性を著しく高めることができる。
【００４１】
以上、本発明の祈願札を紙により形成する場合について述べてきたが、祈願札を形成する材料は紙だけに制限されない。形状記憶樹脂や形状記憶合金等の素材の折り曲げや、プラスチック材等の重ね合わせによっても本発明の祈願札を形成することができる。
【００４２】
【発明の効果】
本発明の祈願札を用いれば、祈願文の内容を他人に見られる心配がないので、安心して本心や願い事を祈願札に書いて奉納することができる。
【００４３】
また、筆やボールペン等で書き易い紙等の材料で形成されるので、軽量で場所も取らず、屋内に吊るしておくことが可能なので、プライバシー保護がより図れると共に、防水加工等不要で容易に製造できる。
【００４４】
更に、従来多かった木製札ではないので、一定期間祈祷を受けた後に祈願札を燃焼させる際に、大量に二酸化酸素を発生させず、又、森林資源の保護の点からも環境に悪影響を及ぼすことがない。
【図面の簡単な説明】
【図１】８角形祈願札の斜視図。
【図２】８角形祈願札を開いた状態の平面図（祈願札の外面）。
【図３】８角形祈願札を開いた状態の裏面図（祈願札の内面）。
【図４】絵馬型祈願札の展開図。
【図５】図５ａは折線部に対して非対称な絵馬型祈願札の平面図、図５ｂは図５ａの展開図。
【図６】差込孔付き祈願札
【符号の説明】
１０：８角形の祈願札
１２：８角形祈願札の表面
１４：８角形祈願札の裏面
１５、２５、３５、４５：折線部
１６、２６、３６、４６：挿通孔
１８：吊紐（組紐）
２０：絵馬型祈願札
３０：折線部について非対称な絵馬型祈願札
３２：シール部
３４：最下辺
４０：差込孔付き祈願札
４２：凸部
４７：差込孔
１０６：神社仏閣の紋章等の記章
１１０：寺院の呼称、略称等
１１２：寺院の名称
１１４：寺院印の押印
１１６：観音様の写真の印刷
１１８：願い事の記載欄
【図１】
2004016286.tif 000003
【図２】
2004016286.tif 000004
【図３】
2004016286.tif 000005
【図４】
2004016286.tif 000006
【図５】
2004016286.tif 000007
【図６】
2004016286.tif 000008